(57)【要約】【課題】屋内レピータシステムにおける子機の台数が増加した場合に、簡易な構成で中継機が送出する上りノイズ信号のレベルを低減すること。【解決手段】無線中継装置は、移動機と通信する複数の子機と、複数の子機と基地局とを中継する中継機とを備え、中継機は、複数の子機のそれぞれから通知された上りゲインに基づいて、複数の子機と中継機とを含む装置全体の上りゲインが所定の値以下となるように、複数の子機のそれぞれの上りゲインを制御する。【選択図】図１
2012004736.tif 000002
【特許請求の範囲】
【請求項１】
移動機と通信する複数の子機と、
前記複数の子機と基地局とを中継する中継機とを備え、
前記中継機は、前記複数の子機のそれぞれから通知された上りゲインに基づいて、前記複数の子機と前記中継機とを含む装置全体の上りゲインが所定の値以下となるように、前記複数の子機のそれぞれの上りゲインを制御することを特徴とする無線中継装置。
【請求項２】
前記中継機は、前記複数の子機のそれぞれから通知された上りゲインに基づいて、前記複数の子機と前記中継機とを含む装置全体の上りゲインが所定の値以下となるように、自身の上りゲインを制御することを特徴とする、請求項１に記載の無線中継装置。
【請求項３】
前記中継機は、前記複数の子機の上りゲインを一律に制御することを特徴とする、請求項１又は２に記載の無線中継装置。
【請求項４】
前記中継機は、前記複数の子機のうちの、移動機との通信量が相対的に多い子機の上りゲインが相対的に大きくなるように制御することを特徴とする、請求項１又は２に記載の無線中継装置。
【請求項５】
前記複数の子機は、それぞれ、上りゲインを変更した場合に、前記中継機に変更後の上りゲインを通知することを特徴とする、請求項１乃至４のいずれか１項に記載の無線中継装置。
【請求項６】
前記複数の子機は、それぞれ、所定の周期で前記中継機に上りゲインを通知することを特徴とする、請求項１又は４のいずれか１項に記載の無線中継装置。
【請求項７】
前記複数の子機は、それぞれ、パワーランピング制御方式又はクローズドループ制御方式を用いて、上り／下りゲインをダイナミックに最適化することを特徴とする、請求項１乃至６のいずれか１項に記載の無線中継装置。
【請求項８】
請求項１乃至７のいずれか１項に記載の無線中継装置を備えていることを特徴とする屋内リピータシステム。
【請求項９】
移動機と通信する複数の子機と基地局との間における通信を中継機により中継する工程と、
前記複数の子機のそれぞれから通知された上りゲインに基づいて、前記複数の子機と前記中継機とを含む無線中継装置全体の上りゲインが所定の値以下となるように、前記複数の子機のそれぞれの上りゲインを前記中継機により制御する工程と、を含むことを特徴とする無線中継方法。
【請求項１０】
移動機と通信する複数の子機と基地局との間における通信を中継する処理と、
前記複数の子機のそれぞれから通知された上りゲインに基づいて、前記複数の子機と中継機とを含む無線中継装置全体の上りゲインが所定の値以下となるように、前記複数の子機のそれぞれの上りゲインを制御する処理とを、該中継機に設けられたコンピュータに実行させることを特徴とするプログラム。
【発明の詳細な説明】
【技術分野】
【０００１】
本発明は、無線中継装置、無線中継方法及びプログラムに関し、特に、ＣＤＭＡ、Ｗ−ＣＤＭＡシステムにおける屋内レピータシステムにおける無線中継装置、並びに、屋内レピータシステムにおいて上り干渉を抑制する無線中継方法及びプログラムに関する。
【背景技術】
【０００２】
屋内レピータシステムによると、基地局を増設するよりも安価なコストで、携帯電話システムにおける不感地帯をエリア化することができる。したがって、近年、屋内レピータシステムに対する需要が高まってきている。
【０００３】
大規模なビルにおける屋内レピータシステムは、１００台以上の子機を含む場合もある。しかし、子機の台数が増えるにしたがって、上りノイズ信号のレベルが増加し、中継機のＲＦ信号をアンテナで送信することができない場合が生じている。このような場合には、光ケーブル接続に基づく専用の基地局を設置する必要がある。
【０００４】
電波不感地帯に設置される移動通信システムの中継器において、基地局と通信する親局および電波不感地帯内に配設される子局との間の信号レベルの常時監視および調整を親局から遠隔監視／制御を可能とし、良好なＣＮＲを確保すると共に、調整が容易な移動通信システムの中継器が、特許文献１に記載されている。
【０００５】
また、無線基地局装置と移動機との間に設けられ、ブースタとして機能する無線中継装置において、送信雑音を抑える技術が、特許文献２に記載されている。
【先行技術文献】
【特許文献】
【０００６】
【特許文献１】特開２００３−１６９０１６号公報
【特許文献２】特開２００７−２５１７８９号公報
【発明の概要】
【発明が解決しようとする課題】
【０００７】
以下の分析は、本発明者によってなされたものである。
【０００８】
屋内レピータシステムにおいて、子機を多数設置してエリアをカバーするとともに、子機の上り信号を多重した場合には、ノイズ成分も多重された状態で中継機から無線送信される。したがって、基地局エリア内の干渉波レベルが増大し、エリア全体の上り無線信号の品質が低下する。
【０００９】
例えば、２５６台の子機を収容する屋内レピータシステムにおいて、すべての子機の上り雑音レベルを合成して中継した場合には、上り雑音レベルは１台の子機の場合と比較して２４ｄＢ増加する。このような雑音レベルは、携帯電話システムにおける基地局が許容し得る上り雑音信号レベルを上回る。
【００１０】
この問題を解決するには、例えば、屋内エリア専用の基地局セルを設置して、中継局との間を光ケーブル又は同軸ケーブルで直接接続して、屋内エリア専用の構成を設ける方法が考えられる。しかし、この方法によると、通信事業者において、基地局を設置し、ケーブルを敷設するための初期コスト、及びケーブル維持のための運用コストが必要とされる。
【００１１】
そこで、屋内レピータシステムにおける子機の台数が増加した場合に、簡易な構成で中継機が送出する上りノイズ信号のレベルを低減することが課題となる。本発明の目的は、かかる課題を解決する無線中継装置、無線中継方法及びプログラムを提供することにある。
【課題を解決するための手段】
【００１２】
本発明の第１の視点に係る無線中継装置は、
移動機と通信する複数の子機と、
前記複数の子機と基地局とを中継する中継機とを備え、
前記中継機は、前記複数の子機のそれぞれから通知された上りゲインに基づいて、前記複数の子機と前記中継機とを含む装置全体の上りゲインが所定の値以下となるように、前記複数の子機のそれぞれの上りゲインを制御する。
【００１３】
本発明の第２の視点に係る無線中継方法は、
移動機と通信する複数の子機と基地局との間における通信を中継機により中継する工程と、
前記複数の子機のそれぞれから通知された上りゲインに基づいて、前記複数の子機と前記中継機とを含む無線中継装置全体の上りゲインが所定の値以下となるように、前記複数の子機のそれぞれの上りゲインを前記中継機により制御する工程と、を含む。
【００１４】
本発明の第３の視点に係るプログラムは、
移動機と通信する複数の子機と基地局との間における通信を中継する処理と、
前記複数の子機のそれぞれから通知された上りゲインに基づいて、前記複数の子機と中継機とを含む無線中継装置全体の上りゲインが所定の値以下となるように、前記複数の子機のそれぞれの上りゲインを制御する処理とを、該中継機に設けられたコンピュータに実行させる。
【発明の効果】
【００１５】
本発明に係る無線中継装置、無線中継方法及びプログラムによると、屋内レピータシステムにおける子機の台数が増加した場合に、簡易な構成で上りノイズ信号のレベルを低減することができる。
【図面の簡単な説明】
【００１６】
【図１】本発明の第１の実施形態に係る無線中継装置の構成を示すブロック図である。
【図２】本発明の第２の実施形態に係る無線中継方法について説明するための図である。
【図３】本発明の第３の実施形態に係る無線中継装置の構成を示すブロック図である。
【図４】本発明の第３の実施形態に係る無線中継装置の動作を示すシーケンス図である。
【図５】本発明の第３の実施形態に係る無線中継装置における子機の動作について説明するための図である。
【図６】本発明の第３の実施形態に係る無線中継装置における子機の動作について説明するための図である。
【図７】本発明の第３の実施形態に係る無線中継装置における中継機の動作を示すフローチャートである。
【発明を実施するための形態】
【００１７】
第１の展開形態によると、上記第１の視点に係る無線中継装置が提供される。
【００１８】
第２の展開形態によると、中継機は、複数の子機のそれぞれから通知された上りゲインに基づいて、複数の子機と中継機とを含む装置全体の上りゲインが所定の値以下となるように、自身の上りゲインを制御する、無線中継装置が提供される。
【００１９】
第３の展開形態によると、中継機は、複数の子機の上りゲインを一律に制御する、無線中継装置が提供される。
【００２０】
第４の展開形態によると、中継機は、複数の子機のうちの、移動機との通信量が相対的に多い子機の上りゲインが相対的に大きくなるように制御する、無線中継装置が提供される。
【００２１】
第５の展開形態によると、複数の子機は、それぞれ、上りゲインを変更した場合に、中継機に変更後の上りゲインを通知する、無線中継装置が提供される。
【００２２】
第６の展開形態によると、複数の子機は、それぞれ、所定の周期で中継機に上りゲインを通知する、無線中継装置が提供される。
【００２３】
第７の展開形態によると、複数の子機は、それぞれ、パワーランピング制御方式又はクローズドループ制御方式を用いて、上り／下りゲインをダイナミックに最適化する、無線中継装置が提供される。
【００２４】
第８の展開形態によると、上記第１乃至第７のいずれかの展開形態の無線中継装置を備えている屋内リピータシステムが提供される。
【００２５】
第９の展開形態によると、上記第２の視点に係る無線中継方法が提供される。
【００２６】
第１０の展開形態によると、上記第３の視点に係るプログラムが提供される。
【００２７】
本発明に係る無線中継装置、無線中継方法及びプログラムによると、携帯電話ネットワークで用いられる屋内レピータシステムにおいて、大規模ビル等で子機を多数設置しエリアをカバーする場合に、子機の上り受信信号を中継機にて多重して送信する際、子機の上りゲインをオフ又は必要最小限に抑えることができる。これにより、多重後に中継機が送信する上り信号のノイズレベルを低減させることができる。
【００２８】
（実施形態１）
本発明の第１の実施形態に係る無線中継装置について、図面を参照して説明する。
【００２９】
図１は、本実施形態に係る無線中継装置の構成を示すブロック図である。図１を参照すると、無線中継装置は、移動機１０と通信する複数の子機２０ａ、２０ｂ、…、２０ｎと、複数の子機２０ａ、２０ｂ、…、２０ｎと基地局４０とを中継する中継機３０とを備えている。
【００３０】
中継機３０は、複数の子機２０ａ、２０ｂ、…、２０ｎのそれぞれから通知された上りゲインに基づいて、複数の子機２０ａ、２０ｂ、…、２０ｎと中継機３０とを含む装置全体の上りゲインが所定の値以下となるように、複数の子機２０ａ、２０ｂ、…、２０ｎのそれぞれの上りゲインを制御する。
【００３１】
また、中継機３０は、複数の子機２０ａ、２０ｂ、…、２０ｎのそれぞれから通知された上りゲインに基づいて、複数の子機２０ａ、２０ｂ、…、２０ｎと中継機３０とを含む装置全体の上りゲインが所定の値以下となるように、自身の上りゲインをも制御するようにしてもよい。
【００３２】
さらに、中継機３０は、複数の子機２０ａ、２０ｂ、…、２０ｎの上りゲインを一律に制御するようにしてもよい。一方、中継機３０は、複数の子機２０ａ、２０ｂ、…、２０ｎのうちの、移動機１０との通信量が相対的に多い子機の上りゲインが相対的に大きくなるように制御するようにしてもよい。
【００３３】
複数の子機２０ａ、２０ｂ、…、２０ｎは、それぞれ、上りゲインを変更した場合に、中継機３０に変更後の上りゲインを通知するようにしてもよい。また、複数の子機２０ａ、２０ｂ、…、２０ｎは、それぞれ、所定の周期で中継機３０に上りゲインを通知するようにしてもよい。
【００３４】
複数の子機２０ａ、２０ｂ、…、２０ｎは、それぞれ、パワーランピング制御方式に基づいて送信電力を制御するようにしてもよい。一方、複数の子機２０ａ、２０ｂ、…、２０ｎは、それぞれ、クローズドループ制御方式に基づいて送信電力を制御するようにしてもよい。
【００３５】
なお、無線中継装置は、複数の子機２０ａ、２０ｂ、…、２０ｎと中継機３０とを中継するハブ（非図示）をさらに備えていてもよい。
【００３６】
また、上記の無線中継装置を屋内リピータシステムに設けるようにしてもよい。
【００３７】
本実施形態に係る無線中継装置によると、携帯電話ネットワークで用いられる屋内レピータシステムにおいて、大規模ビル等で子機を多数設置しエリアをカバーする場合に、子機の上り受信信号を中継機にて多重して送信する際、子機の上りゲインをオフ又は必要最小限に抑えることができる。これにより、多重後に中継機が送信する上り信号のノイズレベルを低減させることができる。
【００３８】
（実施形態２）
本発明の第２の実施形態に係る無線中継装置について、図面を参照して説明する。
【００３９】
本実施形態では、子機の上り信号のゲインを、在圏する移動機の通信状況に応じてオフ又は必要最小限に抑える。これにより、屋内レピータシステムとして子機全体の上り信号のノイズ成分を所定のレベル以下に低減させ、基地局への干渉を軽減する。
【００４０】
第１の機能として、屋内レピータシステムを構成する子機の上りゲイン値を必要最小限に抑える機能を設ける。第２の機能として、中継機が子機全体の上りゲイン値を集計し、所定の値以下となるように、子機の上りゲイン制御の判定閾値を更新する機能を設ける。
【００４１】
一般に、屋内レピータシステムでは、子機１台のサービスエリアは１０〜１００メートル程度と非常に狭く、在圏する移動機がいないか、又は通話状態でない子機が多く含まれる。すなわち、すべての子機の上りＲＦ信号に、移動機の有意な信号が含まれているわけではない。しかし、すべての子機の上りＲＦ信号を合成すると、その分ノイズ成分も合成されて基地局への干渉波となり、エリア品質の低下を招く。
【００４２】
そこで、上りＲＦ受信レベル等から有意な信号を含んだ子機からの上りＲＦ信号のみを中継する方式が考えられる。しかし、上りＲＦ信号に有意な信号を含んだ子機は、システム内のトラヒック状態により時間的に変動するため、一律に定義することは困難である。
【００４３】
そこで、上述の２つの機能により、対象子機の選択をダイナミック（動的）に制御するとともに、移動機と基地局間の送信電力制御機能を利用し、あたかも伝搬ロスが大きな環境下にいるように見せかけることで、屋内レピータシステムの上りゲイン量を極力小さくする。
【００４４】
送信電力の制御方式として、主に２つの制御方式が知られている。第１の制御方式は、共通チャネル（ＰＲＡＣＨ：Ｐｈｙｓｉｃａｌ  Ｒａｎｄｏｍ  Ａｃｃｅｓｓ  Ｃｈａｎｎｅｌ）のプリアンブル信号を伝達するため、基地局からの受信信号を検出するまで、間欠的に再送を繰り返しながら徐々に送信電力を上げていくパワーランピング（ｐｏｗｅｒ  ｒａｍｐｉｎｇ）制御方式である。
【００４５】
第２の制御方式は、個別チャネル（ＤＰＣＨ：Ｄｅｄｉｃａｔｅｄ  Ｐｈｙｓｉｃａｌ  Ｃｈａｎｎｅｌ）を伝達するため、基地局での受信ＳＩＲ（Ｓｉｇｎａｌ  ｔｏ  Ｉｎｔｅｒｆｅｒｅｎｃｅ  Ｒａｔｉｏ）が適正値となるように、基地局の指示信号を受信して送信電力を制御するクローズドループ（ｃｌｏｓｅｄ  ｌｏｏｐ）制御方式である。
【００４６】
これらのいずれの制御方式においても、基地局−移動機間の伝搬ロス量に応じたダイナミックレンジの範囲内で制御を行うので、レピータの上りゲインを調整し、伝搬ロス量を大きく見せかけることができる。なお、移動機の送信電力が増大することにより、バッテリーの消耗が早くなるため、過度な調整を防ぐことが好ましい。
【００４７】
屋内レピータシステム全体で考えると、前述のように、システム内のトラヒック状態は時間的に変動し、上りＲＦ信号を中継すべき子機の数が一時的に増大することもあり得る。そこで、本実施形態では、子機の上りゲイン値を極力小さくし、上りＲＦ信号のノイズ成分を増加させることなく、合成する子機の台数を一時的に増やすようなダイナミックな制御機能を設ける。
【００４８】
図２は、本実施形態に係る無線中継方法について説明するための図である。図２を参照して、具体例について説明する。図２（ａ）を参照すると、無線中継装置（例えば、屋内リピータシステム）は、子機２０、中継機３０を備えている。無線中継装置は、移動機１０と基地局４０との間の無線通信を中継する。子機２０の台数は、一例として、ｎ台とする。
【００４９】
ここで、移動機１０の送信電力をＴ１ｕ、子機２０の受信電力をＲ１ｕ、中継機３０の送信電力をＴ２ｕ、基地局４０の受信電力をＲ２ｕとする。また、移動機１０と子機２０との間の伝搬ロスをＬ１、子機２０と中継機３０との間の伝搬ロスをＬ２、中継機３０と基地局４０との間の伝搬ロスをＬ３とする。さらに、子機２０でのゲインをＧｓ、中継機３０のゲインをＧｄとする。
【００５０】
図２（ａ）は、通常の屋内レピータシステムにおける上りＲＦ信号の送受信レベルの遷移を示す（ケース１）。移動機１０は、基地局４０との間の伝搬ロスに応じて可能な範囲で送信レベルＴ１ｕを制御する。屋内レピータシステムの全体ゲインＧは、子機２０のｎ台分の信号が合成されるため、ノイズ成分もｎ台分合成される。
【００５１】
一方、図２（ｂ）は、子機２０のゲインをＧｓ−ａに下げ、中継機３０のゲインをＧｄ−ｂに下げ、子機２０の送信電力を引き上げた場合を示す（ケース２）。このとき、屋内レピータシステム全体のゲインＧを一定に保ちつつ、中継する子機２０の台数をｎ１台だけ増やすことができる。
【００５２】
一例として、子機２０のゲインを３ｄＢ（２分の１）低下させ（ａ＝Ｇｓ／２）、中継機３０のゲインを不変とし（ｂ＝０）、子機２０と中継機３０との間のロスＬ２はゼロとし、当初の子機２０の中継台数ｎを１６台とする。このとき、図２（ｂ）における子機中継追加台数ｎ１は１６台となる。したがって、子機の台数を２倍にすることができる。
【００５３】
このように、本実施形態では、通常ケース１（図２（ａ））で運用中の屋内レピータシステムにおいて、一時的なトラヒックの増大により上りＲＦ信号を中継する子機２０の台数を増加したい場合に、ケース２（図２（ｂ））のように子機２０のゲインＧｓ及び／又は中継機３０のゲインＧｄを下げることで、屋内レピータシステム全体のゲインＧを一定に保ちつつ、対応することができる。
【００５４】
（実施形態３）
本発明の第３の実施形態に係る無線中継装置について、図面を参照して説明する。図３は、本実施形態に係る無線中継装置の構成を一例として示すブロック図である。図３は、一例として屋内レピータシステムにおける無線中継装置を示す。
【００５５】
図３を参照すると、無線中継装置は、中継機３０、ハブ５０ａ、５０ｂ、…５０ｍ、及び、子機２０ａ、２０ｂ、…、２０ｎを有する。無線中継装置は、基地局４０と移動機１０との間における上り／下りＲＦ信号を中継する。
【００５６】
中継機３０又はそのアンテナは、ビルの外に設置される。中継機３０は、基地局４０との間で上り／下りＲＦ信号の送受信を行う。
【００５７】
ハブ５０ａ、５０ｂ、…５０ｍは、中継機３０との間に、１台又は複数台設置され、中継機３０と１台又は複数台の子機２０ａ、２０ｂ、…、２０ｎとの間における上り／下りＲＦ信号及び制御信号の中継配信を、光又は電気の有線ケーブルを経由して行う。
【００５８】
なお、ハブ５０ａ、５０ｂ、…、５０ｍは、無線中継機装置における必須の構成ではない。ハブ５０ａ、５０ｂ、…、５０ｍは、中継機３０の機能の一部として含まれていてもよい。また、ハブ５０ａ、５０ｂ、…、５０ｍに子機としての機能を付加して、子機の一部として扱うようにしてもよい。
【００５９】
子機２０ａ、２０ｂ、…、２０ｎは、ハブ５０ａ、５０ｂ、…、５０ｍのそれぞれに対して、１台又は複数台設置され、移動機１０との間で上り／下りＲＦ信号の送受信を行う。
【００６０】
ここでは、有線ケーブルにおける信号伝送方式については、特に限定しない。また、上り／下りＲＦ信号は、アナログ信号として伝送してもよいし、デジタル変換された信号で伝送してもよい。
【００６１】
図４は、中継機３０と子機２０ａ、２０ｂ、…、２０ｎとの間における上りゲイン制御シーケンスを一例として示す。なお、ハブ５０ａ、５０ｂ、…、５０ｍは、有線ケーブル上の上り／下りＲＦ信号及び制御信号を中継するにすぎないことから、その動作の説明を省略する。
【００６２】
図４を参照すると、子機２０ａ、２０ｂ、…、２０ｎは、上りＲＦ信号を受信して増幅する際のゲイン値をリアルタイムに制御している。子機２０ａ、２０ｂ、…、２０ｎは、そのゲイン値を制御信号で中継機３０に報告する。ここで、ゲイン値の変化をトリガとして報告する方式を採用してもよいし、変化の有無に依らず周期的に報告する方式を採用してもよい。
【００６３】
中継機３０は、図７を参照して後述するように、すべての子機２０ａ、２０ｂ、…、２０ｎから報告された上りゲイン値に基づいて、各子機に対する適正なゲイン値を算出し、制御信号で各子機に指示する。
【００６４】
図５は、子機２０における上りゲイン制御を一例として示す。子機２０は、ＰＲＡＣＨ（Ｐｈｙｓｉｃａｌ  Ｒａｎｄｏｍ  Ａｃｃｅｓｓ  Ｃｈａｎｎｅｌ）プリアンブル信号がランピングにより徐々に高出力になり、受信レベルがＯＮ検出閾値レベルを超えた時点でＯＮ状態と判断する。また、子機２０は、その後のＰＲＡＣＨメッセージ信号を中継した後、受信レベルがＯＦＦ検出閾値レベルを下回った時点で信号中継をＯＦＦする。なお、ＰＲＡＣＨプリアンブル直後の受信レベル低下時においては、その後、ＰＲＡＣＨメッセージ信号を受信することが想定されることから、子機２０は、受信レベルがＯＦＦ検出閾値レベル２以下となっても、信号中継をＯＦＦしない。
【００６５】
図６は、子機２０における上りゲイン制御の他の例を示す。移動機１０の個別チャネル送信が完了後も隣接する子機に在圏する別の移動機の上りＲＦ信号が低いレベルで受信される可能性がある。この場合、ＯＦＦ検出閾値レベル２を下回らず、信号中継をＯＦＦできない場合が考えられる。そこで、若干レベルの高い、ＯＦＦ検出閾値レベル１を下回ることで信号中継をＯＦＦする。なお、ＯＦＦ検出閾値レベル１は、通常の受信レベルとの差異が小さいため、保護段数を設けて、瞬間的なレベル低下による検出では信号中継をＯＦＦしないようにすることが好ましい。
【００６６】
図７は、中継機３０における上りゲイン制御動作を一例として示すフローチャートである。中継機３０は、子機２０ａ、２０ｂ、…、２０ｎからの上りゲイン値報告を受け付けると（ステップＳ１１）、屋内レピータシステム全体の上りゲイン値Ｇａｌｌを更新する（ステップＳ１２）。中継機３０は、本来の上りゲイン値Ｇとすべく、中継機３０の上りゲイン値Ｇｄ及び子機の上りゲイン値Ｇｓを更新する（ステップＳ１３、Ｓ１４）。
【００６７】
更新方法として、中継機３０の上りゲイン値を低減させる方法、又は、子機２０ａ、２０ｂ、…、２０ｎの上りゲイン値を低減し、子機全体の消費電力を低減させる方法を採用することができる。ただし、更新方法は、これらの方法に限定されない。また、子機２０ａ、２０ｂ、…、２０ｎの上りＲＦ信号受信レベルの統計的データを集計し、その結果に基づいて、トラヒックの大きな子機に対する上りゲイン値Ｇｓを大きくする方法を採用してもよい。
【００６８】
本実施形態では、子機２０ａ、２０ｂ、…、２０ｎの上りＲＦ信号のゲインを、在圏する移動機１０の通信状況に応じてオフ又は必要最小限に抑えることで、屋内レピータシステムとして子機全体の上り信号のノイズ成分を所定のレベル以下に低減し、基地局４０への干渉波の送信レベルを低減させる。これにより、基地局４０の無線回線設計を容易にし、中継機３０との間を光又は同軸ケーブルで直接接続して屋内エリア専用のセル構成することなく、アンテナ間での無線通信で屋内レピータシステムを実現することができる。
【００６９】
したがって、本実施形態の無線中継装置によると、屋内レピータシステムにおける子機の台数が増大した場合において、通信事業者は初期コスト及び運用コストを抑制することができる。
【００７０】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【００７１】
なお、上記実施形態の一部又は全部は、以下の付記として記載することができるものであるが、これらに限定されるものではない。
【００７２】
（付記１）移動機と通信する複数の子機と、
前記複数の子機と基地局とを中継する中継機とを備え、
前記中継機は、前記複数の子機のそれぞれから通知された上りゲインに基づいて、前記複数の子機と前記中継機とを含む装置全体の上りゲインが所定の値以下となるように、前記複数の子機のそれぞれの上りゲインを制御することを特徴とする無線中継装置。
【００７３】
（付記２）前記中継機は、前記複数の子機のそれぞれから通知された上りゲインに基づいて、前記複数の子機と前記中継機とを含む装置全体の上りゲインが所定の値以下となるように、自身の上りゲインを制御することを特徴とする、付記１に記載の無線中継装置。
【００７４】
（付記３）前記中継機は、前記複数の子機の上りゲインを一律に制御することを特徴とする、付記１又は２に記載の無線中継装置。
【００７５】
（付記４）前記中継機は、前記複数の子機のうちの、移動機との通信量が相対的に多い子機の上りゲインが相対的に大きくなるように制御することを特徴とする、付記１又は２に記載の無線中継装置。
【００７６】
（付記５）前記複数の子機は、それぞれ、上りゲインを変更した場合に、前記中継機に変更後の上りゲインを通知することを特徴とする、付記１乃至４のいずれか一に記載の無線中継装置。
【００７７】
（付記６）前記複数の子機は、それぞれ、所定の周期で前記中継機に上りゲインを通知することを特徴とする、付記１又は４のいずれか一に記載の無線中継装置。
【００７８】
（付記７）前記複数の子機は、それぞれ、パワーランピング制御方式を用いて、上り／下りゲインをダイナミックに最適化することを特徴とする、付記１乃至６のいずれか一に記載の無線中継装置。
【００７９】
（付記８）前記複数の子機は、それぞれ、クローズドループ制御方式を用いて、上り／下りゲインをダイナミックに最適化することを特徴とする、付記１乃至６のいずれか一に記載の無線中継装置。
【００８０】
（付記９）前記複数の子機と前記中継機とを中継するハブをさらに備えていることを特徴とする、付記１乃至８のいずれか一に記載の無線中継装置。
【００８１】
（付記１０）付記１乃至９のいずれか一に記載の無線中継装置を備えていることを特徴とする屋内リピータシステム。
【００８２】
（付記１１）移動機と通信する複数の子機と基地局との間における通信を中継機により中継する工程と、
前記複数の子機のそれぞれから通知された上りゲインに基づいて、前記複数の子機と前記中継機とを含む無線中継装置全体の上りゲインが所定の値以下となるように、前記複数の子機のそれぞれの上りゲインを前記中継機により制御する工程と、を含むことを特徴とする無線中継方法。
【００８３】
（付記１２）前記中継機が、前記複数の子機のそれぞれから通知された上りゲインに基づいて、前記無線中継装置全体の上りゲインが所定の値以下となるように、自身の上りゲインを制御する工程をさらに含むことを特徴とする、付記１１に記載の無線中継方法。
【００８４】
（付記１３）前記中継機は、前記複数の子機の上りゲインを一律に制御することを特徴とする、付記１１又は１２に記載の無線中継方法。
【００８５】
（付記１４）前記中継機は、前記複数の子機のうちの、移動機との通信量が相対的に多い子機の上りゲインが相対的に大きくなるように制御することを特徴とする、付記１１又は１２に記載の無線中継方法。
【００８６】
（付記１５）移動機と通信する複数の子機と基地局との間における通信を中継する処理と、
前記複数の子機のそれぞれから通知された上りゲインに基づいて、前記複数の子機と中継機とを含む無線中継装置全体の上りゲインが所定の値以下となるように、前記複数の子機のそれぞれの上りゲインを制御する処理とを、該中継機に設けられたコンピュータに実行させることを特徴とするプログラム。
【００８７】
（付記１６）前記複数の子機のそれぞれから通知された上りゲインに基づいて、前記無線中継装置全体の上りゲインが所定の値以下となるように、前記中継機の上りゲインを制御する処理を、さらに前記コンピュータに実行させることを特徴とする、付記１５に記載のプログラム。
【００８８】
（付記１７）前記複数の子機の上りゲインを一律に制御することを特徴とする、付記１５又は１６に記載のプログラム。
【００８９】
（付記１８）前記複数の子機のうちの、移動機との通信量が相対的に多い子機の上りゲインが相対的に大きくなるように制御することを特徴とする、付記１５又は１６に記載のプログラム。
【符号の説明】
【００９０】
１０    移動機
２０、２０ａ、２０ｂ、…、２０ｎ    子機
３０    中継機
４０    基地局
５０ａ、５０ｂ、…、５０ｍ    ハブ
【図１】
2012004736.tif 000003
【図２】
2012004736.tif 000004
【図３】
2012004736.tif 000005
【図４】
2012004736.tif 000006
【図５】
2012004736.tif 000007
【図６】
2012004736.tif 000008
【図７】
2012004736.tif 000009